(57)【要約】【課題】ケースのカバーを外すことなくユニットの着脱を可能にし、しかも装置の大型化を防ぐことができるセル電源の着脱構造を提供する。【解決手段】少なくとも整流回路を具備したセル電源本体１と、整流回路に接続されている端子と、セル電源本体１に形成された開口１５Ｄと、一端に端子用の接合部を備え、直流を出力する直流出力回路を少なくとも具備した複数の出力ユニット２と、開口１５Ｄから端子までの間に形成され、複数の出力ユニット２をガイドするガイド部と、ガイド部によってガイドされた出力ユニット２の複数の挿入位置に応じて位置決めする位置決め手段とを備え、複数の出力ユニット２をセル電源本体１に対してそれぞれ独立して挿抜可能にした。【選択図】  図１
2005018314.tif 000002
【特許請求の範囲】
【請求項１】
少なくとも整流回路を具備したセル電源本体（１）と、
前記整流回路に接続されている複数の端子と、
前記セル電源本体（１）に形成された開口（１５Ｄ）と、
一端に前記端子用の接合部を備え、直流を出力する直流出力回路を少なくとも具備した複数の出力ユニット（２）と、
前記開口（１５Ｄ）から前記端子までの間に形成され、前記複数の出力ユニット（２）をガイドするガイド部と、
前記ガイド部によってガイドされた前記出力ユニット（２）の複数の挿入位置に応じて位置決めする位置決め手段とを備え、
前記複数の出力ユニット（２）を前記セル電源本体（１）に対してそれぞれ独立して挿抜可能にしたことを特徴とするセル電源。
【請求項２】
第１平板（１５Ｂ１）と第２平板（１５Ａ１）との両端に設けられた側板によって構成された断面ロ字状の箱状の収納体（１５）を具備するセル電源本体（１）と、
平板とこの平板の両端に立設された第１側板（２２Ｂ）および第２側板（２２Ｃ）とを具備した断面コ字状のケースを具備し、前記収納体（１５）の開口（１５Ｄ）を介して着脱される出力ユニット（２）と、
前記収納体（１５）に対する前記出力ユニット（２）の複数の挿入段階に応じて、この出力ユニット（２）の位置決めをする位置決め手段とを備え、
前記出力ユニット（２）の第１側板（２２Ｂ）が前記収納体（１５）の第１平板（１５Ｂ１）と対向し、この出力ユニット（２）の第２側板（２２Ｃ）が前記収納体（１５）の第２平板（１５Ａ１）と対向し、この出力ユニット（２）の平板が前記収納体（１５）の側板と対向するように、この出力ユニット（２）が着脱されることを特徴とするセル電源。
【請求項３】
第１の前記位置決め手段は、前記第１の挿入段階に応じて設けられ、前記収納体（１５）の第１平板（１５Ｂ１）に設けられると共に前記ユニット（２）の第１側板（２２Ｂ）を案内するガイドであることを特徴とする請求項２に記載のセル電源。
【請求項４】
第２の前記位置決め手段は、前記第２の挿入段階に応じて設けられ、前記第２平板（１５Ａ１）に設けられた第１突起（１５Ａ４１）と、前記ユニット（２）の一方の側板（２２Ｃ）に設けられると共に前記第１突起（１５Ａ４１）が通る第１スリット（２２Ｃ１）とを備えたことを特徴とする請求項３に記載のセル電源。
【請求項５】
第３の前記位置決め手段は、前記第３の挿入段階に応じて設けられ、前記第１平板（１５Ｂ１）に設けられた第２突起（１５Ｂ３２）と、前記ユニット（２）の他方の側板（２２Ｂ）に設けられると共に前記第２突起（１５Ｂ３２）が通る第２スリット（２２Ｂ１）とを備えたことを特徴とする請求項４に記載のセル電源。
【請求項６】
前記第１突起（１５Ａ４１）と前記第２突起（１５Ｂ３２）とは、前記第１平板（１５Ｂ１）または前記第２平板（１５Ａ１）からの高さ方向に対して異なる高さに配置されたことを特徴とする請求項５に記載のセル電源。
【発明の詳細な説明】
【０００１】
【発明の属する技術分野】
本発明は、電源回路の一部がユニット化されたセル電源に関する。
【０００２】
【従来の技術】
従来の電源装置を図１５に示す。この電源装置は、交流を直流に変換する整流回路等が実装された主基板１０１と、主基板１０１に着脱されるユニット１０２とを備えている。ユニット１０２の着脱は、主基板１０１に装着されているメスコネクタ１０１Ａと、ユニット１０２に装着されているオスコネクタ１０２Ａとによって行われる。
【０００３】
主基板１０１はケース２００のケース下部分２０１に取り付けられている。そして、ユニット１０２が取り付けられた主基板１０１には、ケース２００のケース上部分であるカバー２０２が螺着される。カバー２０２には冷却用のファン３０１が取り付けられている。ネジ穴２０２Ａはファン３０１をケース上部分２０２に螺着する際に用いられ、ネジ穴２０２Ｂはカバー２０２をケース下部分２０１に螺着する際に用いられる。
【０００４】
カバー２０２がケース下部分２０１に取り付けられた後、ネジ穴２０２Ｃを通したネジによって、ユニット１０２がカバー２０２に固定される。
【０００５】
【発明が解決しようとする課題】
従来の電源装置には次のような課題がある。主基板１０１にはメスコネクタ１０１Ａが取り付けられ、ユニット１０２にはオスコネクタ１０２Ａが取り付けられている。これらのコネクタによって、主基板１０１の上方からユニット１０２を主基板１０１に装着する。このために、ユニット１０２を交換する際には、まず、カバー２０２のネジ穴２０２Ｂ、２０２Ｃからネジを外し、次に、カバー２０２をケース下部分２０１から取り除く必要がある。つまり、カバー２０２を取り外さないと、ユニット１０２の着脱をすることができない。
【０００６】
一方、フローティング機構を持つコネクタを使用して、ユニットを基板に接続するタイプの電源装置がある。しかし、この装置では、コネクタの取り付け部分にスペースが必要であるので、装置が大きくなってしまう。
【０００７】
本発明は、前記の課題を解決し、ケースのカバーを外すことなくユニットの着脱を可能にし、しかも装置の大型化を防ぐことができるセル電源を提供することにある。
【０００８】
【課題を解決するための手段】
前記課題を解決するために、請求項１の発明は、少なくとも整流回路を具備したセル電源本体と、前記整流回路に接続されている複数の端子と、前記セル電源本体に形成された開口と、一端に前記端子用の接合部を備え、直流を出力する直流出力回路を少なくとも具備した複数の出力ユニットと、前記開口から前記端子までの間に形成され、前記複数の出力ユニットをガイドするガイド部と、前記ガイド部によってガイドされた前記出力ユニットの複数の挿入位置に応じて位置決めする位置決め手段とを備え、前記複数の出力ユニットを前記セル電源本体に対してそれぞれ独立して挿抜可能にしたことを特徴とするセル電源である。
請求項２の発明は、第１平板と第２平板との両端に設けられた側板によって構成された断面ロ字状の箱状の収納体を具備するセル電源本体と、平板とこの平板の両端に立設された第１側板および第２側板とを具備した断面コ字状のケースを具備し、前記収納体の開口を介して着脱される出力ユニットと、前記収納体に対する前記出力ユニットの複数の挿入段階に応じて、この出力ユニットの位置決めをする位置決め手段とを備え、前記出力ユニットの第１側板が前記収納体の第１平板と対向し、この出力ユニットの第２側板が前記収納体の第２平板と対向し、この出力ユニットの平板が前記収納体の側板と対向するように、この出力ユニットが着脱されることを特徴とするセル電源である。
請求項３の発明は、請求項２に記載のセル電源において、第１の前記位置決め手段は、前記第１の挿入段階に応じて設けられ、前記収納体の第１平板に設けられると共に前記ユニットの第１側板を案内するガイドであることを特徴とする。
請求項４の発明は、請求項３に記載のセル電源において、第２の前記位置決め手段は、前記第２の挿入段階に応じて設けられ、前記第１平板に設けられた第１突起と、前記ユニットの一方の側板に設けられると共に前記第１突起が通る第１スリットとを備えたことを特徴とする。
請求項５の発明は、請求項４に記載のセル電源において、第３の前記位置決め手段は、前記第３の挿入段階に応じて設けられ、前記第１平板に設けられた第２突起と、前記ユニットの他方の側板に設けられると共に前記第２突起が通る第２スリットとを備えたことを特徴とする。
請求項６の発明は、請求項５に記載のセル電源において、前記第１突起（１５Ａ４１）と前記第２突起（１５Ｂ３２）とは、前記第１平板（１５Ｂ１）または前記第２平板（１５Ａ１）からの高さ方向に対して異なる高さに配置されたことを特徴とする。
【０００９】
【発明の実施の形態】
次に、本発明の実施の形態について、図面を参照して詳しく説明する。図１は、本発明によるセル電源が適用されているセル電源本体を示す斜視図であり、図２は、図１のセル電源本体に着脱される出力ユニットを示す斜視図であり、図３は、図１のセル電源本体に着脱されるフィルタユニットを示す斜視図である。セル電源はセル電源本体１と出力ユニット２とフィルタユニット３とを備えている。
【００１０】
セル電源本体１は、第１入力基板１１および第２入力基板１２を備えている。第１入力基板１１と第２入力基板１２とは互いに離間して平行に配置されている。第１入力基板１１および第２入力基板１２には、商用電源の交流からノイズを除去するフィルタ回路、フィルタ回路からの交流を直流に変換する整流回路、この整流回路の出力を高周波に変換する変換回路、これらの回路を動作されるための補助電源回路などが設けられている。そして、これらの回路に必要な部品（図示を省略）が実装されている。
【００１１】
第１入力基板１１と第２入力基板１２との間には、出力ユニット２用の複数の第１コネクタ基板１３と、フィルタユニット３用の第２コネクタ基板１４とが設けられている。第１コネクタ基板１３には、信号線用のオスコネクタ１３Ａと電力線用のコネクタ１３Ｂとが設けられている。図４に示すように、オスコネクタ１３Ａはピン１３Ａ１を備え、コネクタ１３Ｂはバネ性を持つ。コネクタ１３Ｂは、コ字状の屈曲部分の両端部１３Ｂ１、１３Ｂ２がヘ字状に加工されている。そして、端部１３Ｂ１、１３Ｂ２の頂部分１３Ｂ１１、１３Ｂ２１が互いに押圧しつつ接触する構造である。さらに、端部１３Ｂ１、１３Ｂ２には、出力ユニット２の後述するコネクタと接触状態を確実にするために、スリット１３Ｂ３１が形成されている。これによって、コネクタ１３Ｂは出力ユニット２のコネクタと２点接触する。
【００１２】
第２コネクタ基板１４にも第１コネクタ基板１３のコネクタ１３Ｂと同じ、バネ性を持つコネクタ１４Ａが設けられている。
【００１３】
第１入力基板１１、第２入力基板１２、第１コネクタ基板１３、および第２コネクタ基板１４は両端開口の断面ロ字状の金属製ケース１５に収納されている。ケース１５は第１入力基板１１が固定されている断面コ字状の下ケース１５Ａと、下ケース１５Ａを覆うカバー１５Ｂとに分割可能である。カバー１５Ｂも両端が屈曲されて断面コ字状に加工されている。ケース１５の一方の開口にはファン４が取り付けられ、かつ、ファン４に隣接する開口部分１５Ｃがフィルタユニット３の着脱用である。ケース１５の他方の開口１５Ｄが出力ユニット２の着脱用である。
【００１４】
下ケース１５Ａの平板１５Ａ１の両側に立設された側壁１５Ａ２には、ネジ穴１５Ａ１１が形成され、ネジ穴１５Ａ１１によってカバー１５Ｂが下ケース１５Ａに螺着される。また、開口１５Ｄ側に位置する下ケース１５Ａの両側壁１５Ａ２の角部分には、図５に示すように、突起１５Ａ２１がそれぞれ設けられ、カバー１５Ｂの平板１５Ｂ１の両側に立設された側壁１５Ｂ２には、突起１５Ａ２１と係合するスリット１５Ｂ２１が設けられている。突起１５Ａ２１とスリット１５Ｂ２１とによって、カバー１５Ｂを下ケース１５Ａにひっかける構造としたので、ネジを用いた取り付けにより発生するデッドスペースをなくすことができる。
【００１５】
出力ユニット２は出力を発生するものであり、出力ユニット２の基板２１には、セル電源本体１からの高周波を所定の直流に変換する直流出力回路、直流出力の過電流や過電圧を検出する検出回路などが設けられている。そして、これらの回路に必要な部品（説明省略）が実装されている。さらに、基板２１には、セル電源本体１のコネクタ１３Ａと電気的接続されるメスコネクタ２１Ａと、セル電源本体１のコネクタ１３Ｂと電気的接続されるバスバーであるコネクタ２１Ｂとが設けられている。
【００１６】
出力ユニット２の基板２１は、断面コ字状の金属製のケース２２に収納されている。つまり、基板２１はケース２２の平板２２Ａに固定されている。また、平板２２Ａの両側に立設されている第１側壁２２Ｂおよび第２側壁２２Ｃの幅Ｗ１は、基板２１に実装されている部品の高さに比べて大きくなっており、部品が第１側壁２２Ｂおよび第２側壁２２Ｃから突出しないようにしている。
【００１７】
フィルタユニット３はノイズ等を除去するものであり、フィルタユニット３の基板３１には、ノイズ除去に必要な部品（説明省略）が実装されている。さらに、基板３１には、セル電源本体１の第２コネクタ基板１４のコネクタ１４Ａと電気的接続されるバスバーであるコネクタ３１Ａが設けられている。
【００１８】
フィルタユニット３の基板３１は、断面コ字状の金属製のケース３２に収納されている。つまり、基板３１は、ケース３２の平板３２Ａの両側に立設されている第１側壁３２Ｂおよび第２側壁３２Ｃの端部分に固定されている。また、第１側壁３２Ｂおよび第２側壁３２Ｃの幅Ｗ２は、基板３２に実装されている部品の高さに比べて大きくなっており、部品が第１側壁３２Ｂおよび第２側壁３２Ｃから突出しないようにしている。
【００１９】
本実施の形態では、下ケース１５Ａの平板１５Ａ１と、カバー１５Ｂの平板１５Ｂ１と、第２入力基板１２と、出力ユニット２の第１側壁２２Ｂおよび第２側壁２２Ｃとには、第１コネクタ基板１３のオスコネクタ１３Ａおよびコネクタ１３Ｂと、出力ユニット２のメスコネクタ２１Ａおよびコネクタ２１Ｂとの接続を確実にするために、出力ユニット２の挿入段階に応じて位置決めを行う位置決め手段が設けられている。本実施の形態では、４段階の挿入位置による位置決めを行っている。
【００２０】
第１段階の挿入位置決めのために、図６と図７とに示すように、カバー１５Ｂの平板１５Ｂ１に、出力ユニット２の第１側壁２２Ｂの幅Ｗ１に合わせて第１リブ１５Ｂ３１が立設されている。そして、カバー１５Ｂの側壁１５Ｂ２と第１リブ１５Ｂ３１、または、第１リブ１５Ｂ３１と隣の第１リブ１５Ｂ３１とによって、出力ユニット２の第１側壁２２Ｂの幅Ｗ１とほぼ同じ間隔Ｗ２のガイドがそれぞれ形成され、出力ユニット２のメスコネクタ２１Ａおよびコネクタ２１Ｂは、このガイドによって第１コネクタ基板１３の方向に摺動しつつ案内される。
【００２１】
第２段階の位置決めのために、下ケース１５Ａの平板１５Ａ１に、第１リブ１５Ｂ３１より第１コネクタ基板１３側に、ダボ１５Ａ４１が出力ユニット２の挿入方向Ａに並んで突設されている。ダボ１５Ａ４１は前記ガイドによって挿入される出力ユニット２の第２側壁２２Ｃの端と交差するように並んで設けられている。
【００２２】
また、第２段階の位置決めのために、第１コネクタ基板１３と対向する、第２側壁２２Ｃの端から延在すると共にダボ１５Ａ４１が通るスリット２２Ｃ１が設けられている。ダボ１５Ａ４１とスリット２２Ｃ１とによって、出力ユニット２のコネクタ２１Ｂを第１コネクタ基板１３のコネクタ１３Ｂに案内する。
【００２３】
第３段階の位置決めのために、カバー１５Ｂの平板１５Ｂ１に、第２リブ１５Ｂ３２が立設されている。第２リブ１５Ｂ３２は前記ガイドによって挿入される出力ユニット２の第１側壁２２Ｂの端と交差するように設けられている。また、第２リブ１５Ｂ３２は、出力ユニット２の逆挿しを防止するために、ダボ１５Ａ４１と非対称位置に設けられている。つまり、図８に示すように、ダボ１５Ａ４１を含み、かつ、下ケース１５Ａの平板１５Ａ１に垂直な平面Ｆ１の立設位置と、第２リブ１５Ｂ３２を含み、かつ、カバー１５Ｂの平板１５Ｂ１に垂直な平面Ｆ２の立設位置とが、前記のガイドの中心に対して非対称となるように、ダボ１５Ａ４１と第２リブ１５Ｂ３２とが配置されている。
【００２４】
また、第３段階の位置決めのために、第１コネクタ基板１３と対向する、第１側壁２２Ｂの端から延在すると共に、第２リブ１５Ｂ３２が通るスリット２２Ｂ１が設けられている。第２リブ１５Ｂ３２とスリット２２Ｂ１とよって、出力ユニット２の第１側板２２Ｂ側に位置するメスコネクタ２１Ａを第１コネクタ基板１３のオスコネクタ１３Ａに案内する。
【００２５】
第４段階の位置決めと出力ユニット２のストッパとのために、図９に示すように、セル電源本体１の第２入力基板１２にスリット１２Ａが設けられている。スリット１２Ａには、出力ユニット２の基板２１の角部に設けられた切り欠き２１Ｃが挿入される。
【００２６】
出力ユニット２は、前記の第１段階〜第４段階の位置決め手段によって位置決めされ、フィルタユニット３は、次のように位置決めされる。フィルタユニット３の平板３２Ａに立設されている第１側壁３２Ｂおよび第２側壁２２Ｃの幅Ｗ３は、先に述べた開口部分１５Ｃの幅とほぼ同じであり、これによって、開口部分１５Ｃはフィルタユニット３のガイドとなっている。
【００２７】
本実施の形態は前記の構成である。この実施の形態によれば、次のようにして出力ユニット２がセル電源本体１に取り付けられる。図１０に示すように、出力ユニット２をセル電源本体１の開口１５Ｄに挿入方向Ａから挿入する。この後、図１１に示すように、第１の位置決めによって、出力ユニット２の側壁２２Ｂが第１リブ１５Ｂ３１で形成されるガイドを通り、出力ユニット２は第１コネクタ基板１３に案内さる。
【００２８】
第１の位置決めの後、図１２に示すように、第２の位置決めによって、平板１５Ａ１に設けられているダボ１５Ａ４１が、出力ユニット２のスリット２２Ｃ１を通り、出力ユニット２のコネクタ２１Ｂが第１コネクタ基板１３のコネクタ１３Ｂに案内される。なお、図１２では、（ａ）が出力ユニット２の正面を示す正面図であり、（ｂ）が（ａ）の矢印Ｄ１から見た図である。
【００２９】
第２の位置決めの後、図１３に示すように、第３の位置決めによって、第２リブ１５Ｂ３２が出力ユニット２の第１側板２２Ｂに設けられているスリット２２Ｂ１を通り、出力ユニット２のコネクタ２１Ａが第１コネクタ基板１３のコネクタ１３Ａに案内される。なお、図１３では、（ｂ）が出力ユニット２の正面を示す正面図であり、（ａ）が（ｂ）の矢印Ｄ２から見た図であり、（ｃ）が（ｂ）の矢印Ｄ３から見た図である。
【００３０】
この後、第４の位置決めとストッパとによって、出力ユニット２のコネクタ２１Ａが第１コネクタ基板１３のコネクタ１３Ａに案内され、かつ、前記の第３の位置決めによる案内とによって、コネクタ２１Ａのピンがコネクタ１３Ａに確実に取りつけられる。そして、図１４に示すように、コネクタ３１Ａに対してコネクタ２１Ａが所定距離Ｌまで接近したときに、前記のストッパによって出力ユニット２を係止する。なお、図１４では、（ｂ）が出力ユニット２の正面を示す正面図であり、（ａ）が（ｂ）の矢印Ｄ２から見た図であり、（ｃ）が（ｂ）の矢印Ｄ３から見た図である。
【００３１】
一方、フィルタユニット３は、セル電源本体１の開口部分１５Ｃに挿入される。このとき、開口部分１５Ｃがフィルタユニット３のガイドとなり、フィルタユニット３のコネクタ３１Ａが、セル電源本体１の第２コネクタ基板１４のコネクタ１４Ａに電気的接続される。
【００３２】
出力ユニット２とフィルタユニット３との接続が終了すると、ネジ１Ａによって出力ユニット２が下ケース１５Ａに固定され、ネジ穴１５Ｅを通したネジによってフィルタユニット３がカバー１５Ｂに固定される。
【００３３】
以上説明したように、本実施の形態によれば、ケース１５のカバー１５Ｂを外すことなく出力ユニット２およびフィルタユニット３の着脱が可能になる。また、出力ユニット２とフィルタユニット３とを接続するためのコネクタとして、フローティング機構を持つコネクタが不要であるので、装置の大型化を防ぐことができる。
【００３４】
以上、本発明の実施の形態を詳述してきたが、具体的な構成は本実施の形態に限られるものではなく、本発明の要旨を逸脱しない範囲の設計の変更等があっても、本発明に含まれる。
【００３５】
【発明の効果】
以上、説明したように、請求項１、２の発明によれば、ユニットが着脱される収納体に対するこのユニットの挿入段階に応じて、このユニットの位置決めをするので、ユニットの確実な接続を可能にする。この結果、ケースである収納体のカバーを外すことなくユニットの着脱を可能にし、しかも、フローティング機構を持つコネクタの不使用により装置の大型化を防ぐことができる。
請求項２〜５の発明によれば、各挿入段階に応じた位置決め手段を、ガイド、突起およびスリットによる簡便な方法で構成するので、装置の大型化を防ぐことができる。
請求項６の発明によれば、第１スリットと第２スリットとは、ガイド中央に対して非対称となるように配置されるので、ユニットの逆挿しを防止することができる。
【図面の簡単な説明】
【図１】本発明によるセル電源が適用されているセル電源本体を示す斜視図である。
【図２】図１のセル電源本体に着脱される出力ユニットを示す斜視図である。
【図３】図１のセル電源本体に着脱されるフィルタユニットを示す斜視図である。
【図４】図１のコネクタの拡大した斜視図である。
【図５】ケースの取り付けを説明するための断面図である。
【図６】図１のカバーを示す斜視図である。
【図７】図１のＩ−Ｉ断面を示す断面図である。
【図８】図１のＩＩ−ＩＩ断面を示す断面図である。
【図９】図１の部分拡大を示す部分拡大図である。
【図１０】出力ユニットの取り付けの様子を説明するための説明図である。
【図１１】出力ユニットの取り付けの様子を説明するための説明図である。
【図１２】出力ユニットの取り付けの様子を説明するための説明図である。
【図１３】出力ユニットの取り付けの様子を説明するための説明図である。
【図１４】出力ユニットの取り付けの様子を説明するための説明図である。
【図１５】従来の電源装置を示す分解斜視図である。
【符号の説明】
１  セル電源本体
１Ａ  ネジ
１１  第１入力基板
１２  第２入力基板
１２Ａ  スリット
１３  第１コネクタ基板
１４  第２コネクタ基板
１３Ａ  オスコネクタ
１３Ａ１  ピン
１３Ｂ、１４Ａ  コネクタ
１３Ｂ１、１３Ｂ２  端部
１３Ｂ１１、１３Ｂ２１  頂部分
１３Ｂ３１  スリット
１５  ケース
１５Ａ  下ケース
１５Ａ１  平板
１５Ａ２  側壁
１５Ａ１１  ネジ穴
１５Ａ２１  突起
１５Ｂ３１  第１リブ
１５Ａ４１  ダボ
１５Ｂ  カバー
１５Ｂ１  平板
１５Ｂ２  側壁
１５Ｂ２１  スリット
１５Ｂ３１  第１リブ
１５Ｂ３２  第２リブ
１５Ｃ  開口部分
１５Ｄ  開口
１５Ｅ  ネジ穴
２  出力ユニット
２１  基板
２１Ａ  メスコネクタ
２１Ｂ  コネクタ
２２  ケース
２２Ａ  平板
２２Ｂ  第１側壁
２２Ｂ１  スリット
２２Ｃ  第２側壁
２２Ｃ１  スリット
３  フィルタユニット
３１  基板
３１Ａ  コネクタ
３２  ケース
３２Ａ  平板
３２Ｂ  第１側壁
３２Ｃ  第２側壁
４  ファン
【図１】
2005018314.tif 000003
【図２】
2005018314.tif 000004
【図３】
2005018314.tif 000005
【図４】
2005018314.tif 000006
【図５】
2005018314.tif 000007
【図６】
2005018314.tif 000008
【図７】
2005018314.tif 000009
【図８】
2005018314.tif 000010
【図９】
2005018314.tif 000011
【図１０】
2005018314.tif 000012
【図１１】
2005018314.tif 000013
【図１２】
2005018314.tif 000014
【図１３】
2005018314.tif 000015
【図１４】
2005018314.tif 000016
【図１５】
2005018314.tif 000017